(57)【要約】【課題】  防水性と通気性とを兼備した建築用下地シートにおいて、防水機能と通気機能とは相反する機能であって、公知のものでは防水性と通気性の両方をそれぞれ良好に確保することが困難であった。【解決手段】  防水フィルム４の表裏各面にそれぞれ通気性のある状態の接着層３，３を介してそれぞれ通気性のある不織布２，２を貼着しているとともに、防水フィルム４の全面に、水の通過を阻止する一方で空気の通過を許容する微小又は微細な多数の通気部５を散在状態で設けており、それによって防水性と通気性の両方をそれぞれ良好に確保し得るようにした。【選択図】      図２
2009062674.tif 000002
【特許請求の範囲】
【請求項１】
防水フィルム（４）の表裏各面にそれぞれ通気性のある状態の接着層（３，３）を介してそれぞれ通気性のある不織布（２，２）を貼着しているとともに、前記防水フィルム（４）の全面に、水の通過を阻止する一方で空気の通過を許容する微小又は微細な多数の通気部（５，５・・）を散在状態で設けていることを特徴とする建築用下地シート。
【請求項２】
請求項１において、施工状態で外面側となる不織布（２）の表面に、該不織布（２）の通気性を維持し得る状態で撥水処理を施していることを特徴とする建築用下地シート。
【発明の詳細な説明】
【技術分野】
【０００１】
本願発明は、屋根下地材や壁面下地材等として使用される建築用下地シートに関するものである。
【背景技術】
【０００２】
この種の建築用下地シートの代表例として、瓦葺き屋根に使用されるルーフィングがあるが、瓦葺き屋根に使用されるルーフィングは、例えば瓦間の隙間からの雨水の吹き込みや瓦が割れたときなどに瓦の下面側に侵入した水が野地板側に漏れるのを防止するものである。
【０００３】
従来の一般的なルーフィングは、シート基材にアスファルトを含浸させたものが主流であるが、この種のアスファルト含浸ルーフィングは、十分な防水機能を有しているものの、空気（湿気）も遮断するようになっている。ところで、瓦葺き屋根の屋根裏は、小さな換気口があるものの通気性に乏しく、雨天（屋根裏も高湿度になる）から晴天（外気が低湿度になる）になっても、通気性のないルーフィングを敷いた屋根では屋根裏の湿気が屋根面からは放出されることがなく、長時間に亘って高湿度の状態が継続する。そして、このように、屋根裏が高湿度状態であると、夜間の温度低下時に屋根裏で湿気が結露してしまうことがあり、ときにはその結露水で天井板にシミができたり、あるいは野地板が結露水を吸収して高含水状態になる。尚、野地板５が長時間、高含水状態のままであると、そこにカビが発生したり、野地板が腐り易くなるという問題がある。
【０００４】
ところで、近年、ルーフィングとして防水性と通気性を兼備したものが開発されているが、その一例として図７（Ａ）〜（Ｃ）に示すものがある。尚、この図７（Ａ）〜（Ｃ）のルーフィング（屋根下地シート）は、特開平１０−８２１４６号公報（特許文献１）に開示されたものである。
【０００５】
この図７（Ａ）〜（Ｃ）の各ルーフィング１０１は、通水を阻止する程度の微小な貫通孔を多数形成したゴム系シート１０２と、通気性のある遮水シート１０３とを積層したものである。図７（Ａ）のルーフィング１０１は、ゴム系シート１０２と遮水シート１０３とを加熱圧着して一体化したものであり、図７（Ｂ）のルーフィング１０１は、ゴム系シート１０２と遮水シート１０３とをストライプ状又はドット状の接着層（接着剤）１０４で接着したものであり、図７（Ｃ）のルーフィング１０１は、ゴム系シート１０２と遮水シート１０３とを繊維状の接着層（接着剤）１０５で接着させたものである。そして、図７（Ａ）におけるゴム系シート１０２と遮水シート１０３の圧着部分、図７（Ｂ）における各接着剤１０４，１０４間（無接着剤部分）、及び図７（Ｃ）の繊維状接着層１０５部分は、それぞれルーフィングの厚さ方向に通気性を有している。
【０００６】
図７（Ａ）〜（Ｃ）の各ルーフィング１０１では、ゴム系シート１０２及び遮水シート１０３が、それぞれ水の透過を阻止する（防水性を有する）一方で湿気の通過を許容できる（通気性を有する）ようになっている。そして、この各ルーフィング１０１を屋根の野地板上に敷いた屋根構造では、瓦の下面側に侵入した雨水が野地板側に漏れるのを阻止し得るとともに、屋根裏の湿気をルーフィング１０１を通して屋根面から放出し得るようになっている。尚、ルーフィング（ゴム系シート及び遮水シート）の防水性と通気性とは、相反関係の性状であり（一方の性状を高めると他方の性状が低くなる）、両方の性状を同時に満足させることは難しいものである。
【０００７】
ところで、瓦屋根の工事は、屋根野地板上にルーフィングを敷いた後に瓦を葺くが、瓦を葺く前のルーフィングが露出した状態で降雨があると、該ルーフィングがビショ濡れになる。又、激しい降雨の場合には、雨粒がルーフィング上に強く打ちつけられて、該ルーフィング上面に高水圧がかかる。
【０００８】
【特許文献１】特開平１０−８２１４６号公報
【発明の開示】
【発明が解決しようとする課題】
【０００９】
上記した図７（Ａ）〜（Ｃ）の各ルーフィング１０１を使用した屋根では、屋根工事完成後に瓦の隙間等から瓦下面側に雨水が侵入しても、比較的少量の場合はゴム系シート１０２及び遮水シート１０３部分でルーフィング下面側への雨水の浸透を阻止できる一方、雨天後の晴れたときに屋根裏の湿気をルーフィング１０１の遮水シート１０３及びゴム系シート１０２の各通気部（微小孔）を通してルーフィング上面側に放出できる、という機能を有している。
【００１０】
ところが、図７（Ａ）〜（Ｃ）の各ルーフィング１０１では、屋根工事の途中で該ルーフィング１０１が露出している状態（瓦を葺く前）において、弱い雨でも比較的長い時間降り続くと、該ルーフィング１０１がビショ濡れになって雨水が徐々にゴム系シート１０２及び遮水シート１０３の各微小孔を通ってルーフィング下面側に浸透していく。又、短時間でも激しい降雨時には、その雨粒がルーフィング上に強く打ちつけられる（高水圧になる）ことにより、その高圧雨粒の一部がゴム系シート１０２及び遮水シート１０３の各微小孔中に浸透するようになる。従って、ルーフィング１０１が露出している状態で降雨があると、ルーフィング１０１の下面側に雨水が浸透してしまうことが考えられる。
【００１１】
従って、この種の防水性と通気性を兼備したルーフィング１０１では、特に屋根工事の途中（瓦を葺く前のルーフィング露出状態）で降雨があると、十分な防水機能を発揮できないという問題があった。尚、この種の防水性と通気性を兼備したルーフィングにおいて、防水機能を高めると通気性が抑制されて、屋根裏の湿気放出機能が低下してしまう。
【００１２】
そこで、本願発明は、図７（特許文献１）のルーフィングにおける上記問題点を改善するためになされたものであって、防水機能と通気機能の両方をそれぞれ良好に確保し得るようにした建築用下地シートを提供することを目的としている。
【課題を解決するための手段】
【００１３】
本願発明は、上記課題を解決するための手段として次の構成を有している。尚、本願発明は、屋根下地材（ルーフィング）として使用したり、あるいは壁用下地材として使用し得る建築用下地シートを対象にしている。
【００１４】
［本願請求項１の発明］
本願請求項１の発明の建築用下地シートは、防水フィルムの表裏各面にそれぞれ通気性のある状態の接着層を介してそれぞれ通気性のある不織布を貼着しているとともに、前記防水フィルムの全面に、水の通過を阻止する一方で空気の通過を許容する微小又は微細な多数の通気部を散在状態で設けていることを特徴としている。尚、この建築用下地シートは、所定面積の矩形に形成したものでもよいが、屋根のルーフィングとして使用するものでは所定幅で帯状のものをロール状に巻回して商品化される。
【００１５】
この下地シートの表裏各外面にある不織布は、微細な繊維を絡めてシート状にしたものであり、通気性が良好な性状を有している。尚、この各不織布は、中間の防水フィルムを保護するとともに、下地シートとしてボリューム（厚み）を付与する機能を有するものである。
【００１６】
表裏両不織布間にある防水フィルムは、水の透過を完全に阻止し得る性状を有したものである。
【００１７】
防水フィルムには、通水を阻止する一方で通気を許容するために、微小孔や線状切り目からなる多数の通気部がフィルム全面に散在状態で設けられている。この通気部を微小孔とした場合は、例えば孔径が０.１〜１mm程度（好ましくは０.５mm以下）で密度が１００cm2当たり５０〜５００個程度に設定するとよく、線状切り目の場合は、例えば長さが５〜２０mm程度で密度が１００cm2当たり１０〜５０本程度に設定するとよい。尚、この通気部の各数値は特に限定するものではなく、適宜に設計変更できるものである。
【００１８】
防水フィルムと各不織布とを貼着している接着層は、接着剤として通気性のある繊維状（クモの巣状）のものを使用したり、接着剤をストライプ状又はドット状に配置して各接着剤間（無接着剤部分）に通気性を確保できるできるようにしたものが採用できる。
【００１９】
本願請求項１の建築用下地シートは、瓦葺き屋根のルーフィングとして使用するときには、屋根の野地板上に敷設する。そして、その下地シートの上に瓦桟を取付け、各瓦桟に瓦を掛け止めて（釘打ちして）屋根工事を完成させる。
【００２０】
この下地シート使用した瓦葺き屋根では、瓦の隙間等から雨水が侵入すると、その侵入雨水で上面側の不織布を濡らすが、該上面側不織布が濡れても中間の防水フィルムで遮水されて下面側の不織布を濡らすことがない。尚、防水フィルムには多数の通気部が設けられているが、この通気部は微小（又は微細）なものであり、水に表面張力の性質があるので該通気部を水が透過することはない。
【００２１】
又、屋根工事の途中（瓦を葺く前）で下地シートが露出しているときに降雨があると、該下地シートの上面側不織布はビショ濡れになるが、その場合でも中間の防水フィルムで確実に遮水でき、下面側不織布（及び野地板）を濡らすことはない。
【００２２】
他方、例えば雨天時に屋根裏が高湿度状態であっても、晴天（外気が低湿度になる）になると、屋根裏の湿気が野地板を通過し、さらに下地シートの下面側不織布、防水フィルムの各通気部、及び上面側不織布を通ってルーフィング上面側（外気側）に放出されるようになり、屋根裏の湿度が短時間で外気湿度まで低下するようになる。
【００２３】
尚、本願の建築用下地シートを壁用下地材として使用する場合には、該下地シートを壁体の外装材の内側に設置する。この場合も、壁体外装材を越えて雨水が侵入して、表側不織布を濡らしても中間の防水フィルムで遮水される一方、上記した通気性により、下地シート内面側で結露することがなくなる。
【００２４】
［本願請求項２の発明］
本願請求項２の発明は、上記請求項１の建築用下地シートにおいて、施工状態で外面側となる不織布の表面に、該不織布の通気性を維持し得る状態で撥水処理を施したものである。
【００２５】
この撥水処理は、不織布の表面に対して撥水剤（例えばシリコン樹脂）を散布（例えばスプレーコーティング）して行われる。尚、不織布は、もともと通気性に優れた性状を有するものであり、その表面に撥水剤を散布しても、不織布表面には撥水剤の無塗工部分が存在し、その撥水剤無塗工部分で通気性を維持し得るようになっている。
【００２６】
このように不織布の表面に撥水処理を施すと、柔軟な不織布であっても保形性及び強度が増し、それによって下地シート全体の保形性・強靭性が増大することになる。
【００２７】
尚、この請求項２では、上記撥水処理は、少なくとも施工状態で外面側となる一方の不織布に施す必要があるが、他方（施工状態で内面側となる）の不織布の表面にもこの撥水処理を施すことができる。
【００２８】
そして、この請求項２の下地シートは、屋根のルーフィングとして使用する場合は撥水処理面が上面になるように野地板上に敷設し、壁用下地材として使用する場合は撥水処理面が外面になるように壁体外装材内に張設する。
【００２９】
この請求項２の下地シートでは、撥水処理した不織布上に水が付着しても、該撥水処理面で付着水が撥水され（水玉状になる）、該付着水が不織布中に浸透しにくくなる。
【発明の効果】
【００３０】
本願請求項１の発明の建築用下地シートは、防水フィルムの表裏各面にそれぞれ通気性のある接着層を介してそれぞれ通気性のある不織布を貼着しているとともに、防水フィルムの全面に水の通過を阻止する一方で空気の通過を許容する多数の通気部を設けて構成されている。
【００３１】
従って、この請求項１の建築用下地シートでは、通気性を確保した上で防水フィルムにより確実に遮水が行え、この下地シートを例えば屋根のルーフィングとして使用した場合に、屋根野地板への防水機能と屋根裏の湿気の放出機能とをそれぞれ確実に達成できるという効果がある。
【００３２】
又、この請求項１の建築用下地シートは、１枚の防水フィルムの表裏各面にそれぞれ不織布を貼着させたものであるので、簡単且つ安価に製作できるという効果がある。
【００３３】
本願請求項２の発明は、上記請求項１の建築用下地シートにおいて、施工状態で外面側となる不織布の表面に撥水処理を施しているので、撥水処理した不織布上に水が付着しても、その付着水が不織布中に浸透しにくくなり、防水フィルムまで達する水量を少なくできて防水性を一層高め得るという効果がある。又、不織布表面に撥水処理を施すと、該不織布の保形性及び強度が増し、両不織布と防水フィルム（いずれも柔軟材料である）で構成された下地シートであっても保形性が増大することにより施工がし易くなるという効果もある。
【実施例】
【００３４】
図１〜図６を参照して本願の建築用下地シートのいくつかの実施例を説明すると、図１〜図２には第１実施例が示され、図３には第２実施例が示され、図４〜図５には第３実施例が示されている。又、図６には、各実施例の建築用下地シートを屋根のルーフィングとして使用した場合の屋根構造を示している。
【００３５】
［図１〜図２の第１実施例］
この第１実施例の下地シート１は、防水フィルム４の表裏各面にそれぞれ接着層３，３を介してそれぞれ不織布２，２を貼着して構成されている。
【００３６】
この下地シート１に使用されている表裏の各不織布２，２は、微細な繊維を絡めてシート状にしたものであり、それぞれ通気性の良好な性状を有している。この不織布２，２の原料としては汎用のものが使用できるが、耐候性や耐久性のある原料（１種類でもよく、複数種類を混合したものでもよい）で製作したものが好ましい。又、この各不織布の厚さは、特に限定するものではないが０.５〜１mm程度でよい。尚、この各不織布２，２は、中間の防水フィルム４を保護するとともに、下地シートとしてボリューム（厚み）を付与する機能を有している。
【００３７】
表裏の不織布２，２のうち、少なくとも施工状態で外面側となる不織布２（例えば図１、図２の上面側不織布）の表面には、該不織布２の通気性を維持し得る状態で撥水処理を施している。この撥水処理は、不織布２の表面に対して撥水剤（例えばシリコン樹脂）を散布（例えばスプレーコーティング）して行われるが、不織布２はもともと通気性に優れた性状を有するものであり、その表面に撥水剤を散布しても、不織布表面には撥水剤の無塗工部分が存在し、その撥水剤無塗工部分で通気性を維持し得るようになっている。
【００３８】
このように不織布２の表面に撥水処理を施すと、柔軟な不織布であっても保形性が増し、それによって下地シート１全体の保形性が増大して該下地シート１の施工時の取り扱いが容易となる。尚、この撥水処理は、他方（施工状態で内面側となる）の不織布２の表面にも施すことができる。
【００３９】
表裏両不織布２，２間にある防水フィルム４は、水の透過を完全に阻止し得る性状を有したものである。この防水フィルム４としては汎用の合成樹脂フィルムが使用できるが、この防水フィルムも耐候性や耐久性のあるものが好ましい。尚、この防水フィルムの厚さは、特に限定するものではないが１００〜５００μm程度でよい。
【００４０】
この防水フィルム４には、通水を阻止する一方で通気を許容する多数の通気部５，５・・をフィルム全面に散在状態で設けている。図１〜図２に示す第１実施例では、防水フィルム４の各通気部５，５・・として、微小な孔５ａを採用している。この各微小孔５ａ，５ａ・・は、孔径が０.１〜１mm程度（好ましくは０.５mm程度）で密度が１００cm2当たり５０〜５００個程度に設定されている。尚、この微小孔５ａ，５ａ・・の孔径及び密度の数値は特に限定するものでなく、適宜に設計変更できるものである。
【００４１】
各不織布２，２は、防水フィルム４の表裏各面にそれぞれ接着層３，３で貼着されているが、この第１実施例（図１〜図２）では各接着層３，３として、通気性のある繊維状（クモの巣状）の接着剤３ａ，３ａを使用し、該繊維状接着剤３ａ，３ａで各不織布２，２と防水フィルム４とを全面に亘って接着させている。
【００４２】
この各繊維状接着層３，３は、その接着層中に無数の微細空間部を有していて、該接着層中を空気が通過し得る性状を有している。
【００４３】
そして、この第１実施例の下地シート１では、上記のように、表裏の不織布２，２と各接着層３，３と中間の防水フィルム４（多数の微小孔５ａ，５ａ・・がある）にそれぞれ通気性を有しているので、図２に点線矢印で示すように、各不織布２，２、各繊維状接着層３ａ，３ａ、及び防水フィルム４の各微小孔５ａ，５ａ・・を通して空気（湿気）の通過を許容し得るようになっている。他方、この下地シート１には、中間部に防水フィルム４があるので、水（雨水）が一方（上面側）の不織布２及び繊維状接着層３に浸透しても、該防水フィルム４で確実に遮水できるようになっている。尚、防水フィルム４には多数の通気部５，５・・が設けられているが、この各通気部は水の通過を阻止し得る程度の微小孔５ａ，５ａ・・であるので、該通気部（微小孔５ａ，５ａ・・）を通って下側の不織布２に達することがない。
【００４４】
［図３の第２実施例］
この第２実施例の下地シート１は、防水フィルム４に設けた通気部５，５・・の変形例を示したものであるが、この第２実施例では、各通気部５，５・・として線状の切り目５ｂ，５ｂ・・を採用している。この各線状切り目５ｂ，５ｂ・・は、例えば長さが５〜２０mm程度で密度が１００cm2当たり１０〜５０本程度に設定されている。尚、この各線状切り目５ｂ，５ｂ・・の各数値（長さ及び密度）は特に限定するものではなく、適宜に設計変更することができる。
【００４５】
尚、この第２実施例の下地シート１において、その他の構成（各不織布２，２及び各接着層３，３）は、上記第１実施例のものと同じであるので、該第１実施例の説明を援用する。
【００４６】
この第２実施例の下地シート１でも、防水フィルム４による防水性と、各不織布２，２、各繊維状接着層３，３、及び防水フィルム４の各通気部（線状切り目５ｂ，５ｂ・・）により通気性との両方をそれぞれ確保できる。
【００４７】
［図４〜図５の第３実施例］
この第３実施例の下地シート１では、防水フィルム４の表裏各面に不織布２，２を貼着するための接着層３，３として、それぞれ多数本の線状接着剤３ｂ，３ｂ・・を小間隔をもってストライプ状に配置したものを採用している。この各線状接着剤３ｂ，３ｂ・・は、特に数値を限定するものではないが、例えば線幅が１〜２mm程度で間隔が３〜５mm程度の状態で配置したもので、各線状接着剤３ｂ，３ｂ・・間に無接着部３ｃ，３ｃ・・が設けらるようにしている。
【００４８】
尚、他の実施例では、各線状接着剤３ｂ，３ｂ・・に代えてドット状の接着剤で不織布２，２と防水フィルム４とを貼着させるようにしてもよく、この場合も不織布２と防水フィルム４間に無接着部ができる。
【００４９】
又、この第３実施例の下地シート１において、各不織布２，２及び防水フィルム４の構成は、上記第１実施例のものと同じであるので、該第１実施例の説明を援用する。
【００５０】
この第３実施例の下地シート１では、図５に示すように、防水フィルム４の通気部（微小孔５ａ，５ａ・・）の大部分が該防水フィルム４の表裏各側の無接着部３ｃ，３ｃ・・に対応しており、図５に点線矢印で示すように、両不織布２，２及び防水フィルム４の微小孔５ａ，５ａ・・を通して下地シート１の内外に空気（湿気）の通過を許容し得るようになっている。尚、この第３実施例の下地シート１でも、防水フィルム４によって防水性が確保されている。
【００５１】
上記第１〜第３の各実施例の下地シート１は、例えば図６に示すように、屋根のルーフィングとして使用される。図６の屋根構造は、野地板５上に下地シート（ルーフィング）１を敷き、その上に瓦位置決め用の瓦桟１２，１２・・を取付け、その各瓦桟１２，１２・・に各瓦１３，１３・・を釘止めして構成されている。尚、屋根の野地板５は、木材であるので水分の浸透性（屋根裏内外の湿度調節機能）がある。又、各野地板５，５間には若干の隙間があり、その野地板５，５間の隙間からも屋根裏内外の湿度調節が可能である。尚、屋根に設置した下地シート１（図６）の機能については、図１〜図５を併用して説明する。
【００５２】
ところで、降雨時において瓦１３の下面側に雨水が侵入すると、その侵入雨水が下地シート１の上面側不織布２（図１〜図５）上に載るが、上面側不織布２の表面に撥水処理を施したものでは、該侵入雨水が上面側不織布２上で撥水されて水玉状になり、該雨水が上面側不織布２中に浸透しにくくなる。又、該雨水の一部が上面側不織布２に浸透することがあっても、その浸透雨水を防水フィルム４で遮水できるので、該浸透雨水が下側不織布２（及び野地板１１）まで達することがない。尚、防水フィルム４の通気部５，５・・は、水の通過を阻止する微小又は微細であるので、上面側不織布２に浸透した雨水が防水フィルム４の各通気部５を通過して下側不織布２を濡らすことはない。
【００５３】
又、屋根工事の途中の下地シート１が露出している状態（瓦１３を葺く前）で多量の降雨があると、下地シート１の上面がビショ濡れになって上面側不織布２が雨水を飽和状態まで吸収するが、その場合でも防水フィルム４が確実に遮水するので下側不織布２（野地板１１）を濡らすことがない。
【００５４】
他方、各実施例の下地シート１では、上記したように下地シート内外を湿気が自由に移動できるようになっているので、夜間に温度低下しても野地板１１と下地シート１との間で結露することがない。又、雨天時に高湿度状態であっても、晴天（外気が低湿度になる）になると、屋根裏の湿気が野地板１１及び下地シート（各不織布２，２、防水フィルム４の各通気部５，５・・）１を通ってその上面側（外気側）に放出されるので、屋根裏内も比較的短時間で乾燥するようになる。
【００５５】
このように、本願の各実施例の下地シート１は、防水フィルム４の表裏各面に不織布２，２を貼着させたという簡単な構成で且つ安価なものであっても、侵入雨水に対して確実に遮水できる一方、屋根裏の湿度放出機能も十分確保できるものである。
【００５６】
尚、本願の建築用下地シートは、屋根のルーフィングのほかに、壁用下地材として使用することもできるが、その場合でも下地シートが防水機能と通気機能とを兼備するようになる。
【図面の簡単な説明】
【００５７】
【図１】本願第１実施例の建築用下地シートの一部を破断した斜視図である。
【図２】図１のII−II拡大断面相当図である。
【図３】本願第２実施例の建築用下地シートの図１相当図である。
【図４】本願第３実施例の建築用下地シートの図１相当図である。
【図５】図４のＶ−Ｖ拡大断面図である。
【図６】本願各実施例の下地シートを屋根のルーフィングとして使用した場合の屋根構造の断面図である。
【図７】公知（特許文献１）の下地シートの説明図である。
【符号の説明】
【００５８】
１は下地シート、２は不織布、３は接着層、３ａは繊維状接着剤、３ｂは線状接着剤、４は防水フィルム、５は通気部、５ａは微小孔、５ｂは線状切り目である。
【図１】
2009062674.tif 000003
【図２】
2009062674.tif 000004
【図３】
2009062674.tif 000005
【図４】
2009062674.tif 000006
【図５】
2009062674.tif 000007
【図６】
2009062674.tif 000008
【図７】
2009062674.tif 000009